Podtech/llm-jp-corpus-v4-ja_patent huggingface dataset:
(57)【要約】【課題】  布製の上層を設けた防水マットでは表面の上層が水等の液体を吸い込むので、液体の拡散や滑り易くなるという欠点はなく、また上層に印刷を施せば風合いも優れたものとなる。ところが、水等が上層に染み込むので乾きづらく、また布製の上層が露出しているので上層が汚れやすく、また染み込んだ汚れが落ちにくいという欠点が生じる。【解決手段】布製の基材の表面に、透明な樹脂からなる防水層を被着すると共に、基材の裏面に滑り止め層を設け、防水層の表面に滑り止め用の凹凸を形成した。【選択図】  図２
0003137749.tif 000002
【実用新案登録請求の範囲】
【請求項１】
布製の基材の表面に、透明な樹脂からなる防水層を被着すると共に、基材の裏面に滑り止め層を設け、防水層の表面に滑り止め用の凹凸を形成したことを特徴とする特徴とする防水マット。
【請求項２】
上記滑り止め用の凹凸を複数に分割する溝であって、防水層の表面にこぼれた液体の拡散を防止する拡散防止溝を設けたことを特徴とする請求項１に記載の防止マット。
【請求項３】
上記基材の表面には模様が施されていることを特徴とする請求項１または請求項２に記載の防水マット。
【請求項４】
上記材の表面には防水層との結合力を増加させるための透明な結合層が形成されていることを特徴とする請求項１から請求項３のいずれかに記載の防水マット。
【考案の詳細な説明】
【技術分野】
【０００１】
本考案は、脱衣場や台所等の水回りや自動車のフロアマットとして使用することのできる防水マットに関する。
【背景技術】
【０００２】
従来のこの種の防水マットは、例えば布製の基材の表面に防水フィルムを被着させて防水性を確保したものが知られている。なお、このものでは、防水フィルムの裏面に印刷が施され、表面からその印刷された模様等を視認することができるように構成されている（例えば、特許文献１参照）。
【０００３】
あるいは、発泡材からなる比較的厚い基材の表面に布製の上層を被着させたものがあり、このものでは表面にこぼれた水等の液体を基材で受け、基材より下方に染みこませないように構成されている（例えば、特許文献２参照）。
【特許文献１】特開平１０−２１１０８１号公報（段落００２２）
【特許文献２】特開２００７−１５３０５０号公報（段落００１０）
【考案の開示】
【考案が解決しようとする課題】
【０００４】
上記従来のもののうち、表面を防水フィルムで覆うものでは、防水性には優れているものの、表面にこぼれた水等が防水フィルムの表面全体に拡がり防止マットからこぼれてしまうおそれがある。また、表面が平らであるので、こぼれた水等により滑り易くなることが考えられる。更に、防水フィルムの裏面に模様等を印刷しているので、表面から見た場合、風合いに欠けるという欠点もある。
【０００５】
これに対して布製の上層を設けたものでは表面の上層が水等の液体を吸い込むので、液体の拡散や滑り易くなるという欠点は解消される。更に上層に印刷を施せば風合いも優れたものとなる。ところが、水等が上層に染み込むので乾きづらく、また布製の上層が露出しているので上層が汚れやすく、また上層に染み込んだ汚れが落ちにくいという欠点が生じる。
【０００６】
そこで本考案は、上記の問題点に鑑み、上記の従来の防水マットが有している不具合を解消することのできる防水マットを提供することを課題とする。
【課題を解決するための手段】
【０００７】
上記課題を解決するために本考案による防水マットは、布製の基材の表面に、透明な樹脂からなる防水層を被着すると共に、基材の裏面に滑り止め層を設け、防水層の表面に滑り止め用の凹凸を形成したことを特徴とする特徴とする。
【０００８】
本考案では基材として布製の基材を採用した。そして防水層を透明としたので布の持つ風合いを表面から視認することができる。なお、防水層の表面に滑り止め用の凹凸を形成しているので従来の防水マットのように水等がこぼれた際に滑り易くなるという不具合は生じない。
【０００９】
なお、水等がこぼれた際に水等が拡散するという不具合は、上記滑り止め用の凹凸を複数に分割する溝であって、防水層の表面にこぼれた液体の拡散を防止する拡散防止溝を設けることにより解消される。
【００１０】
また、上記基材の表面には模様が施されていると、布の風合いと共に、布に印刷された風合いを実現することができる。
【００１１】
ところで、上記材の表面には防水層との結合力を増加させるための透明な結合層が形成されていることが望ましい。
【考案の効果】
【００１２】
以上の説明から明らかなように、本考案は、表面にこぼれた水等が染み込むことがなく、従って乾きやすい。しかもこぼれた水等で滑り易くなることがなく、更に布の持つ風合いを視認することができる。
【考案を実施するための最良の形態】
【００１３】
図１を参照して、１は本考案による防水マットである。全周にはかがり部１１が設けられ、断面が見えないように隠されている。上面は透明な防水層２で覆われており、この防水層２を通して模様Ｍを視認することができる。
【００１４】
図２を参照して、防水マット１は上記防水層２の下に基材３と滑り止め層４とが構成されている。この基材３は布製であり、上記模様Ｍはこの基材３の表面にプリントされている。なお、模様Ｍはプリントのほか織り模様であってもよい。
【００１５】
滑り止め層４は不透明なゴムで構成されており、滑り止め層４の下面は滑り止め用の突起で覆われている。
【００１６】
防水層２の表面にはブロック状の突起部２１が形成されている。そして各突起部２１の上面には細かい凹凸から構成される滑り止め部２２が設けられている。また、各突起部２１の相互間には溝状の拡散防止溝２３が形成されている。このように防水層２の上面が構成されているので、防水層２の上面に水がこぼれた場合であっても、滑り止め部２２によって表面が滑り易くなることが防止される。またこぼれた水は拡散防止溝２３内に入り、滑り止め部２２上に溜まらないばかりか、拡散防止溝２３によって保水され堰き止められるので、防水層２の表面に拡散することがない。
【００１７】
図３を参照して、基材３の上面に防水層２を被着する際に、直接防水層２を基材３の上面に被着させてもよいが、予め基材３の上面に透明な結合層３１を被着させておき、この結合層３１に防水層２を被着させた。
【００１８】
なお、本考案は上記した形態に限定されるものではなく、本考案の要旨を逸脱しない範囲内において種々の変更を加えてもかまわない。
【図面の簡単な説明】
【００１９】
【図１】本考案の一実施の形態の構成を示す図
【図２】防水マットの表面を示す斜視図
【図３】防水マットの構造を示す断面図
【符号の説明】
【００２０】
１  防水マット
２  防水層
３  基材
２１  突起部
２３  拡散防止溝
３１  結合層
Ｍ  模様
【図１】
0003137749.tif 000003
【図２】
0003137749.tif 000004
【図３】
0003137749.tif 000005
(57)【要約】      （修正有）【課題】水槽外への漏れ光が鑑賞の障害とならないコンパクトな観賞魚水槽用照明器具を提供する。【解決手段】器具中央にランプ、その上部にランプの光を下方向に反射させる反射鏡、反射鏡の下部に漏れ光防止のための遮光板を配置する。また、遮光板は前面保護ガラスよりの反射光が漏れ光りとならないように、ガラス面に密着させる構造とする。  【選択図】図１
0003137728.tif 000002
【実用新案登録請求の範囲】
【請求項１】
鑑賞魚用水槽の上部に設置され、上方から鑑賞魚用水槽に照明するとき、照明光が水槽外に漏れないように照明器具内部、すなわちランプと前面保護ガラスの間に遮光板を設置することを特徴とする鑑賞魚水槽用照明器具。
【考案の詳細な説明】
【技術分野】
【０００１】
本考案は、鑑賞魚用水槽に照明するとき、照明光が水槽外に漏れて鑑賞の妨げにならないよう配慮した、鑑賞魚水槽用照明器具である。
【背景技術】
【０００２】
従来、鑑賞魚水槽用照明器具は水槽上部よりさまざまな形式の照明器具が市販されている。
【０００３】
これまでの照明器具はあまり照度の強くない蛍光灯タイプが主体であったため、全体の照度が弱く水槽外に漏れる光はあまり問題にはならなかった。
【考案の開示】
【考案が解決しようとする課題】
【０００４】
しかし、近年蛍光灯より照度が強く、より明るい照明が要求されるようになり、高出力のメタルハライドランプ等を使用した器具が開発、販売されるようになった。
【０００５】
全体の照度が強くなり、より明るくなるに伴い従前は問題にならなかった、水槽外への漏れ光が鑑賞の障害となりはじめた。
【０００６】
本考案では、鑑賞魚水槽を照明するとき、水槽外に漏れ光が出ないよう配慮した鑑賞魚水槽用照明器具を提供する。
【課題を解決するための手段】
【０００７】
この問題の解決策として、照明器具に遮光板を取り付ける方法が考えられる。
【０００８】
実際に照明器具前面に遮光板を取り付け、必要外の光を遮光する器具は市販されているが、照明器具全体が大きくなり、器具自体が鑑賞の妨げとなっている。
【０００９】
本考案では、照明器具内部、すなわちランプ、反射鏡と前面保護ガラスの間に遮光板を取り付けることにより、水槽外への漏れ光防止と、器具のコンパクト化に成功した。
【考案の効果】
【００１０】
本考案の照明器具により、鑑賞の障害となる漏れ光と、器具の過大化の問題が解決された。
【００１１】
また本考案の照明器具を使用することにより、器具取り付け金具などの軽量化が図られ、鑑賞魚水槽全体の見栄えも増し、コストも低減できる。
【考案を実施するための最良の形態】
【００１２】
本考案を実施するための器具の構造は、図１に示すように、器具中央にランプ、その上部にランプの光を下方向に反射させる反射鏡、反射鏡の下部に漏れ光防止のための遮光板を配置する。
【００１３】
また、遮光板は前面保護ガラスよりの反射光が漏れ光とならないように、ガラス面に密着させる構造とする。
【実施例１】
【００１４】
図１は本考案の実施例である。
【産業上の利用可能性】
【００１５】
本考案は、鑑賞魚水槽をより明るく、より見えやすくすることにより本来の主役である鑑賞魚をより引き立たせ、脇役である器具などをコンパクト化して目立たなく設置できる効果があり、今後の利用可能性はおおきい。
【図面の簡単な説明】
【００１６】
【図１】本考案の器具の構造概略図である。
【図１】
0003137728.tif 000003
(57)【要約】      （修正有）【課題】ラベルが肌に接触せず、体裁も良い下着を提供する。【解決手段】一対のカップ部の裏面に、パッドを抜挿自在に収納するためのポケット３を備え、ラベル５をポケット３の内部のパッド出し入れ口４近傍に取り付けてある下着、又はブラジャーとする。【選択図】図１
0003137725.tif 000002
【実用新案登録請求の範囲】
【請求項１】
一対のカップ部の裏面に、パッドを抜挿自在に収納するためのポケットを備えた下着において、ラベルを前記ポケットの内部のパッド出し入れ口近傍に取り付けてあることを特徴とした下着。
【請求項２】
ブラジャーより成る請求項１に記載の下着。
【考案の詳細な説明】
【技術分野】
【０００１】
本考案は、胸部にパッドを収納するためのポケットを形成してあるブラジャー、ボディスーツ、ブラスリップ、キャミソール等の下着に関する。
【背景技術】
【０００２】
繊維製品には、素材、サイズ、取り扱い方法等の品質を表示することが義務付けられている。通常、衣服に品質を表示するには、品質表示用のラベルを裏面の適宜箇所に縫い付けてある。  
品質表示用のラベルは、襟のある衣服では、後身頃と襟との縫合部に縫い付け、襟の無い衣服では前身頃と後身頃との縫合部に縫い付け、ブラジャーでは、係止具取り付用の分離片と帯状の脇布との間に挟んで縫い付ける（特許文献１参照）のが一般的である。
【０００３】
しかし、下着の裏面にラベルを縫い付けると、このラベルが皮膚に接触して刺激し、非常な不快感を与えたり、かぶれる原因となっている。  
そこで、従来、品質表示用のラベルを表側に装着し、ラベルが皮膚に直接接して、皮膚を刺激することの無い下着が提案されている（特許文献２参照）。  
ところが、品質表示用のラベルは、体裁が悪くならないように裏面に装着しているものであって、表側に取り付けてしまっては外観を大きく損ない、特にファッション性の高い下着には適していない。
【０００４】
【特許文献１】実公平４−２６４０５号公報
【特許文献２】実用新案登録第３０２６４０７号公報
【考案の開示】
【考案が解決しようとする課題】
【０００５】
本考案が解決しようとする課題は、ラベルが肌に接触せず、体裁も良い下着を提供することにある。
【課題を解決するための手段】
【０００６】
本考案は、一対のカップ部の裏面に、パッドを抜挿自在に収納するためのポケットを備えた下着に関し、ラベルを前記ポケットの内部のパッド出し入れ口近傍に取り付けてある。  
下着はブラジャーとすることがある。
【考案の効果】
【０００７】
本考案によれば、ラベルが外面に露出しないので体裁が良く、着用した時にラベルが皮膚に接触しないので、かゆみなどの不快感を感じたり、皮膚がかぶれる心配も無い。  
また、下着に本来設けられているポケットを利用して品質表示用のラベルを収納したので、特別な構造が不要であり、ラベルをパッド出し入れ口の近傍に取り付けてあるため、表示を確認したいときは簡単にラベルを引き出すことができる。
【考案を実施するための最良の形態】
【０００８】
以下、下着がブラジャーである実施例について、図面に基づき詳細に説明する。  
図１は、ブラジャーのラベル収納状態における要部裏面図、図２は、ブラジャーのラベル取り出し状態における要部裏面図、図３は、ラベル取付工程を示す図である。  
図１及び図２に示すように、ブラジャーの胸部に左右一対のカップ１が設けられ（図では一方のみを示してある）、カップ１の内部には、発泡ポリウレタン、不織布等の詰め物が収納されている。なお、カップ１の内部には詰め物を収納せず、表布と裏布（図示せず）のみから構成しても良い。  
カップ１の裏面（肌側面）下部には、ポケット布２を重合してその外周を縫い付けることにより、厚み調節用のパッドを抜挿自在に収納するためのポケット３が形成されている。ポケット布２の外側縁２Ａはポケット３の内部側へ向けて折り返し、折り返し線に沿って縫い付けてあり、ポケット布２の外周の内、外側縁２Ａを折り返して縫い付けた箇所のみがカップ１から分離し、この箇所がパッド出し入れ口４となっている。
【０００９】
また、ポケット３の内部において、パッド出し入れ口４の近傍には、ブラジャーの素材、サイズ、取り扱い方法等を表示した品質表示用のラベル５を取り付けてある。本実施例においては、パッド出し入れ口４の裏面にラベル５の一端部を縫い付けてある。  
図１に示すように、ラベル５は、通常、ポケット３の内部に収納されて、外部に露出しないので、体裁が良く、ブラジャーを着用しても皮膚に接触することはない。  
一方、ラベル５の表示を確認したいときは、図２に示すように、パッド出し入れ口４から簡単に引き出すことができる。
【００１０】
品質表示用のラベル５は、次のようにしてポケット３の内部に取り付ける。  
図３の（ａ）に示すように、ポケット布２の外側縁２Ａにほつれ止めのロックミシン掛け部６を形成する。  
次に、図３の（ｂ）に示すように、ロックミシン掛け部６が肌側に露出しないよう、ポケット布２の外側縁２Ａをポケット３の内部側となるように折り返す。この時、折り返し部分にラベル５の一端部を挟み込む。  
次いで、図３の（ｃ）に示すように、ラベル５と共にポケット布２を折り返し線に沿って縫い、ラベル５をポケット布２に止めつける。  
ラベル５を取り付けたポケット布２をカップ１の裏面に重ね、ポケット布２の外側縁２Ａを折り返して縫い付けた箇所を除く外周をカップ１に縫い止める。
【００１１】
なお、本考案の下着は、ブラジャーに限定されず、胸部裏面の左右両側にパッドを収納するためのポケットを有するボディスーツ、ブラスリップ、キャミソール等であっても良い。  
また、本実施例では、ポケット布２の外側縁２Ａをロック縫いしてあるが、テープ処理をしても良いし、ポケット布２を、裁断時に端始末不要ないわゆる切りっ放し布とし、外側縁２Ａの処理を不要としても良い。  
さらに、品質表示用ラベル５を取り付けているが、他のラベルであってもよい。
【図面の簡単な説明】
【００１２】
【図１】本考案の実施例を示す下着のラベル収納状態における要部裏面図。
【図２】本考案の実施例を示す下着のラベル取り出し状態における要部裏面図。
【図３】ラベルの取付工程を示す図。
【符号の説明】
【００１３】
１  カップ
２  ポケット布
２Ａ  外側縁
３  ポケット
４  パッド出し入れ口
５  ラベル
６  ロックミシン掛け部
【図１】
0003137725.tif 000003
【図２】
0003137725.tif 000004
【図３】
0003137725.tif 000005
(57)【要約】【課題】個人の秘匿情報である源泉徴収票を秘匿状態で郵送する。【解決手段】葉書２枚分の大きさの主紙１と、該主紙の中央部分に、２枚の葉書の大きさの分割紙２に折り畳めると共に切り離し可能となるよう設けられたライン部３と、前記分割紙２を折り畳んだときに互いに内側となる面にそれぞれ印刷された秘匿情報である源泉徴収票４が印刷された印刷部と、前記分割紙２を折り畳んだときに形成される表面に送付先本人の住所、氏名等の郵送先情報５が印刷された印刷部と、前記折り畳まれた分割紙の内面を剥離可能に接着する接着剤６とからなり、一度に２枚分の源泉徴収表を秘匿状態で郵送できるようにした。【選択図】図１
0003137752.tif 000002
【実用新案登録請求の範囲】
【請求項１】
葉書２枚分の大きさの主紙と、
該主紙の中央部分に、２枚の葉書の大きさの分割紙に折り畳めると共に切り離し可能となるよう設けられたライン部と、
前記分割紙を折り畳んだときに互いに内側となる面にそれぞれ印刷された秘匿情報である源泉徴収票印刷部と、
前記分割紙を折り畳んだときに形成される表面に送付先本人の住所、氏名等の郵送先情報が印刷された郵送先情報印刷部と、
前記折り畳まれた分割紙の内面を剥離可能に接着する接着剤とからなることを特徴とする秘匿式源泉徴収票。
【請求項２】
源泉徴収票印刷部は、分割紙を見開きに剥離したとき、源泉徴収票が同じ向きになるよう印刷されていることを特徴とする請求項１記載の秘匿式源泉徴収票。
【考案の詳細な説明】
【技術分野】
【０００１】
本考案は、個人情報として秘匿される源泉徴収票の技術分野に属するものである。
【背景技術】
【０００２】
一般に、秘匿情報として暗証番号や預金残高等の他人に知られたくない秘匿すべき情報がある。そしてこのような秘匿情報として源泉徴収票があるが、これを特定人に伝達する手段として、従来は、情報が記載された源泉徴収票自体を、事業者が直接本人に手渡しするか、封筒内に挿入密封して郵送するのが一般的である。ところで秘匿情報を剥離可能な剥離紙で密封した葉書様式にして郵送することが試みられている（例えば特許文献１参照）。
【特許文献１】特許第２７３６８３８号公報
【考案の開示】
【考案が解決しようとする課題】
【０００３】
ところで源泉徴収票は、本人保存用の他に、例えば税金還付のための手続に必要な提出用のものとがある場合があるが、前記従来のものは、一つの情報しか密封しないものであるため、提出用が必要な場合、二通の秘匿葉書を作成し、それぞれを郵送しなければならず、その作業が煩雑であるだけでなく、郵送コストが二倍になるという問題が有り、ここに本考案が解決せんとする課題がある。
【課題を解決するための手段】
【０００４】
本考案は、上記の如き実情に鑑みこれらの課題を解決することを目的として創作されたものであって、請求項１の考案は、葉書２枚分の大きさの主紙と、該主紙の中央部分に、２枚の葉書の大きさの分割紙に折り畳めると共に切り離し可能となるよう設けられたライン部と、前記分割紙を折り畳んだときに互いに内側となる面にそれぞれ印刷された秘匿情報である源泉徴収票印刷部と、前記分割紙を折り畳んだときに形成される表面に送付先本人の住所、氏名等の郵送先情報が印刷された郵送先情報印刷部と、前記折り畳まれた分割紙の内面を剥離可能に接着する接着剤とからなることを特徴とする秘匿式源泉徴収票である。
請求項２の発明は、源泉徴収票印刷部は、分割紙を見開きに剥離したとき、源泉徴収票が同じ向きになるよう印刷されていることを特徴とする請求項１記載の秘匿式源泉徴収票である。
【考案の効果】
【０００５】
請求項１の考案とすることにより、一つの葉書で２通の源泉徴収票を秘匿状態で送付できることになって、作業が簡単になるだけでなく、郵送コストも低減する。
請求項２の発明とすることで、分割紙を見開きにした状態で源泉徴収票を見た場合に、何れも同じ向きを向いているため、違和感がなく見やすいものになる。
【考案を実施するための最良の形態】
【０００６】
次ぎに、本考案の実施の形態について、図面を用いて説明する。図面において１は葉書２枚分を見開いた大きさの主紙であって、該主紙１の中央部分には、２枚の葉書の大きさの分割紙２に折り畳めると共に切り離し可能となるようミシン目からなるライン部３が形成されている。
【０００７】
さらに主紙１には、前記分割紙２を折り畳んだときに互いに内側となる面２ａにそれぞれ秘匿情報である源泉徴収票４が印刷されているが、該印刷された源泉徴収票４は、分割紙２を見開いたとき、同じ向きとなるように印刷されている。
【０００８】
また、前記分割紙２を折り畳んだときに形成される表面２ｂには、送付先本人の住所、氏名等の郵送先情報５が印刷されると共に、郵便はがきであることを示す印刷がなされている。
因みに、これらの印刷は両面印刷をすることで簡単にできるが、さらには、主紙１を２枚の大きさにしたＡ４サイズの紙を用意し、これに二人分の源泉徴収票情報と郵送先情報とを両面印刷した後、各人宛のものとしてカットするようにすることができ、このようにした場合、汎用性の高いＡ４サイズの印刷機を用いることができ、しかも一度で二人分の印刷ができることになってコストダウンを実行できるという利点がある。
【０００９】
前記両面印刷された主紙１は、ライン部３で折り畳まれ、その内面を剥離可能な接着剤６によって密封接着されることになるが、この場合の接着剤としては、印刷された源泉徴収票４が不明瞭にならないよう透明で、かつ通常では接着せず、圧力が加えられると接着する感圧性接着剤が好ましく、このような接着剤としては天然ゴム系、合成ゴム系、酢酸ビニル系等のものが既に公知になっており、これらを必要において選択して採用することができる。
【００１０】
叙述のごとく構成された本考案の実施の形態において、個人の秘匿情報である源泉徴収票４について、秘匿状態に密封したものを郵送によって送ることができるが、この場合に、見開きになる分割紙２の内面両方に源泉徴収票４が印刷されており、しかもこれら源泉徴収票４はライン部３によって簡単に切り離すことができるため、一方を保存用、そして他方を提出用として用いることができる。この結果、一枚の葉書として郵送しながら、２枚分の源泉徴収票４にできるため、郵送コストが低減すると共に、作業が簡便になる。
【００１１】
しかもこのものでは、２枚分の源泉徴収票４は、見開いたときに同じ向きを向いているため、見たときに不自然さがないだけでなく、両者の比較が容易になるという利点もある。
【図面の簡単な説明】
【００１２】
【図１】秘匿式源泉徴収票を見開いた内面図である。
【図２】秘匿式源泉徴収票を見開いた表面図である。
【図３】秘匿式源泉徴収票を折り畳む状態を示す斜視図である。
【図４】秘匿式源泉徴収票の断面拡大図である。
【符号の説明】
【００１３】
１    主紙
２    分割紙
３    ライン部
４    源泉徴収票
５    郵送先情報
６    接着剤
【図１】
0003137752.tif 000003
【図２】
0003137752.tif 000004
【図３】
0003137752.tif 000005
【図４】
0003137752.tif 000006
(57)【要約】【課題】頭及び後ろ首の日焼けを防止することができる仮面兼用タオルを提供する。【解決手段】長辺方向の一端部が折り返されて面ファスナー、ホック釦、縫いつけなどして固着されることにより人頭を覆える程度の袋状部６と、袋状部６に連なる垂れ部７とが形成され、折り返し部分の外面に動物又はキャラクターの顔が描かれていることを特徴とする仮面兼用タオル。【選択図】図３
0003137738.tif 000002
【実用新案登録請求の範囲】
【請求項１】
長辺方向の一端部が折り返されて固着されることにより人頭を覆える程度の袋状部と袋状部に連なる垂れ部とが形成され、折り返し部分の外面に動物又はキャラクターの顔が描かれていることを特徴とする仮面兼用タオル。
【請求項２】
前記袋状部の角を頂点とする直角三角形の対辺に沿って折り返し部分と非折り返し部分とが縫いつけられている請求項１に記載の仮面兼用タオル。
【請求項３】
前記固着が面ファスナー又はホック釦によってなされている請求項１に記載の仮面兼用タオル。
【考案の詳細な説明】
【技術分野】
【０００１】
この考案は、動物の顔を模した仮面にもなるタオルに関する。
【背景技術】
【０００２】
実用品としての機能だけでなく、帽子や仮面として機能をもつようにデザインされて付加価値を高めたタオルが知られている。例えば特許文献１に開示されているタオルは、長辺方向のほぼ中央、且つ短辺方向の一側に偏った位置にロゴ、紋章、キャラクターなどの絵を描き、頭に被って両端を留め合わせたときに絵が額の位置にくるようにしたものである。
【特許文献１】実用新案登録第３１３２９３４号
【考案の開示】
【考案が解決しようとする課題】
【０００３】
しかし、特許文献１に記載のタオルは、頭しか覆うことができないため、後ろ首が日焼けしてしまう。
それ故、この考案の課題は、頭及び後ろ首の日焼けを防止することができる仮面兼用タオルを提供することにある。
【課題を解決するための手段】
【０００４】
その課題を解決するために、この考案の仮面兼用タオルは、
長辺方向の一端部が折り返されて固着されることにより人頭を覆える程度の袋状部と袋状部に連なる垂れ部とが形成され、折り返し部分の外面に動物又はキャラクターの顔が描かれていることを特徴とする。
この仮面兼用タオルによれば、袋状部を頭に被せると、それに連なる垂れ部が後頭部より垂れて後ろ首を覆う。従って、首が焼けない。しかも、外面に動物又はキャラクターの顔が描かれているので、仮面として遊ぶことができる。
前記袋状部の角を頂点とする直角三角形の対辺に沿って折り返し部分と非折り返し部分とが縫いつけられている場合、袋状部を頭に被せた状態でもその角が膨らまないので、あたかも描かれた顔の耳のような立体感を生じさせることができる。
また、前記固着が面ファスナー又はホック釦によってなされていると、着脱自在となり、袋状部を展開することにより全面を通常のタオルとして支障なく使用することができる。
【考案の効果】
【０００５】
頭に被った際に立体感を生じるので、長期間面白く仮面として遊ぶことができ、日焼けを防ぐこともできる。従って、炎天下でのスポーツ観戦などに好適である。
【考案を実施するための最良の形態】
【０００６】
この考案の実施形態を図面とともに説明する。図１は実施形態に係る仮面兼用タオルを示す展開図、図２は同仮面兼用タオルを組み立てた状態を示し、（ａ）は平面図、（ｂ）は右側面図、図３は仮面としての使用状態を示す前方から眺めた斜視図、図４は後方から眺めた斜視図である。
【０００７】
仮面兼用タオル１は、展開状態では長方形のタオル２と、タオル２の一方の短辺寄りに両長辺に沿って縫いつけられた面ファスナー３ａ、３ａと、面ファスナー３ａ、３ａの延長線上に縫いつけられた面ファスナー３ｂ、３ｂとからなる。面ファスナー３ａと３ｂとは互いに掛かり合う。タオル２は、元々無地のタオル生地からなり、面ファスナー３ａ、３ａで挟まれる領域の裏面に短辺方向が左右方向となるようにキャラクターの目４、４及び口５などの絵がタオル生地と別色で印刷されたものである。
【０００８】
タオル２を折り返して面ファスナー３ａと面ファスナー３ｂとで留めると、面ファスナー３ａ、３ａで挟まれる領域と、面ファスナー３ｂ、３ｂで挟まれる領域とで囲まれる人頭を覆える程度の空間からなる袋状部６が形成される。そして、袋状部６に連なる余剰部分が垂れ部７となる。
【０００９】
仮面兼用タオル１は、展開状態で通常の実用品としてのタオルと同様に機能する。仮面兼用タオル１を仮面として使用するときは、袋状部６を形成した状態で絵が額の上に来るように仮面兼用タオル１を頭に被る。すると図３に示すように、あたかもキャラクターの顔を模した帽子を被っているように見える。また、図４に示すように垂れ部７が後ろ首を覆うので、炎天下でも首が焼けない。従って、長期間仮面として楽しみながら、日焼けを防止することができる。
【００１０】
尚、折り返し部分を固着する手段は、面ファスナー３ａ、３ｂに限らず、図５に示すようにタオル２の長辺に沿って適当な間隔で取り付けられたホック釦１３ａ、１３ｂであっても良いし、あらかじめボタンとボタン穴を設けておいてもよく、また図６に示すように縫いつけても良い。図６の形態では、両長辺に沿う部分だけでなく袋状部６の角を頂点とする直角三角形の対辺に沿って折り返し部分と非折り返し部分とが縫いつけられている。このため袋状部６を頭に被せた状態でもその角が膨らまず、あたかも描かれた顔の耳のような立体感を生じさせることができる。
【図面の簡単な説明】
【００１１】
【図１】実施形態に係る仮面兼用タオルを示す展開図である。
【図２】同仮面兼用タオルを組み立てた状態を示し、（ａ）は平面図、（ｂ）は右左側面図である。
【図３】仮面としての使用状態を示す前方から眺めた斜視図である。
【図４】仮面としての使用状態を示す後方から眺めた斜視図である。
【図５】別の実施形態に係る仮面兼用タオルを示す展開図である。
【図６】更に別の実施形態に係る仮面兼用タオルを示す組み立てた状態を示す平面図である。
【符号の説明】
【００１２】
１  仮面兼用タオル
２  タオル
６  袋状部
７  垂れ部
【図１】
0003137738.tif 000003
【図２】
0003137738.tif 000004
【図３】
0003137738.tif 000005
【図４】
0003137738.tif 000006
【図５】
0003137738.tif 000007
【図６】
0003137738.tif 000008
(57)【要約】【課題】長期間興味がそそられる仮面兼用タオルを提供する。【解決手段】長辺方向が左右方向となるように一主面に動物の目、鼻及び口の少なくとも一つからなる顔の要部が印刷等で描かれた長方形のタオル２と、前記要部と均衡する耳の形状を有し、耳の付け根部分のみ前記タオル２に固定された腰の強い生地からなる布片３とを備えることを特徴とする。【選択図】図１
0003137739.tif 000002
【実用新案登録請求の範囲】
【請求項１】
長辺方向が左右方向となるように一主面に動物の目、鼻及び口の少なくとも一つからなる顔の要部が描かれた長方形のタオルと、
前記要部と均衡する耳の形状を有し、耳の付け根部分のみ前記タオルに固定された布片と
を備えることを特徴とする仮面兼用タオル。
【考案の詳細な説明】
【技術分野】
【０００１】
この考案は、動物の顔を模した仮面にもなるタオルに関する。
【背景技術】
【０００２】
実用品としての機能だけでなく、帽子や仮面として機能をもつようにデザインされて付加価値を高めたタオルが知られている。例えば特許文献１に開示されているタオルは、長辺方向のほぼ中央、且つ短辺方向の一側に偏った位置にロゴ、紋章、キャラクターなどの絵を描き、頭に被って両端を留め合わせたときに絵が額の位置にくるようにしたものである。
【特許文献１】実用新案登録第３１３２９３４号
【考案の開示】
【考案が解決しようとする課題】
【０００３】
しかし、特許文献１に記載のタオルは、頭に被った際の立体感に乏しいため、早期に興味が失せる。
それ故、この考案の課題は、長期間興味がそそられる仮面兼用タオルを提供することにある。
【課題を解決するための手段】
【０００４】
その課題を解決するために、この考案の仮面兼用タオルは、
長辺方向が左右方向となるように一主面に動物の目、鼻及び口の少なくとも一つからなる顔の要部が描かれた長方形のタオルと、
前記要部と均衡する耳の形状を有し、耳の付け根部分のみ前記タオルに固定された布片と
を備えることを特徴とする。
この仮面兼用タオルによれば、耳の形状を有する布片の付け根部分のみタオルに固定されているので、タオルを頭に被せて両端を後ろで結ぶか留めるかすれば、布片が立ち、実際の耳のような立体感を生じる。
【考案の効果】
【０００５】
頭に被った際に立体感を生じるので、長期間面白く仮面として遊ぶことができる。
【考案を実施するための最良の形態】
【０００６】
この考案の実施形態を図面とともに説明する。図１は実施形態に係る仮面兼用タオルを示し、（ａ）は平面図、（ｂ）は右面図である。図２は同仮面兼用タオルの色分けの状態をモノクロで写実的に示す平面図、図３は仮面としての使用状態を示す斜視図である。
【０００７】
仮面兼用タオル１は、長方形のタオル２とタオル２に縫いつけられた布片３、３とからなる。タオル２は、元々無地のタオル生地からなり、四辺が縁縫いされているとともに、一主面における長辺方向中央に長辺方向が左右方向となるように動物の目４、４、鼻５及び口６などの絵がタオル生地と別色で塗りつぶし印刷されたものである。絵を描く手段は印刷に代えて刺繍であってもよい。図示の動物はパンダを模したもので、タオル生地は白色、目４、４、鼻５及び口６は黒色を呈している。
【０００８】
布片３は、フェルト、エンブクロスなどのようにタオル２よりも腰の強い生地からなり、目４、４、鼻５及び口６と同色に着色されており、動物の耳形状をなしている。そして、布片３は、耳の付け根に相当する一方の端部３ａだけがタオル２に縫いつけられ、他方の端部３ｂは自由にされている。従って、図１（ｂ）の想像線で示すように端部３ｂはタオル２から離れることが可能である。
【０００９】
仮面兼用タオル１は、通常の実用品としてのタオルと同様に機能する。仮面兼用タオル１を仮面として使用するときは、動物の絵が額の上に来るように仮面兼用タオル１を前頭部に当て、両端を後頭部で結ぶ。すると布片３がタオル２よりも腰の強い生地からなり、端部３ｂが自由にされているので、布片３が立ち、図３に示すように、あたかもパンダの顔を模した帽子を被っているように見える。従って、長期間仮面として楽しむことができる。
【００１０】
尚、両端を後頭部で留める手段は、結ぶに限らず、あらかじめボタンとボタン穴を設けておいてもよいし、面ファスナーや紐を取り付けておいてもよい。
【図面の簡単な説明】
【００１１】
【図１】実施形態に係る仮面兼用タオルを示し、（ａ）は平面図、（ｂ）は左側面図である。
【図２】同仮面兼用タオルの色分けの状態をモノクロで写実的に示す平面図である。
【図３】仮面としての使用状態を示す斜視図である。
【符号の説明】
【００１２】
１  仮面兼用タオル
２  タオル
３  布片
【図１】
0003137739.tif 000003
【図２】
0003137739.tif 000004
【図３】
0003137739.tif 000005
(57)【要約】      （修正有）【課題】乗り手のズボンを引っかけたり、その他の用具を打ったりするのをなくすことができる折り畳み自転車のシートチューブを提供する。【解決手段】折り畳み自転車のシートチューブ１は、その底端２が前方になるように傾けられている。底端２の前側は、ビーム３又は補強ロッドに接続されている。底端２は、斜状の切り口とされた端面を有する。斜状の切り口とすることにより、シートチューブ１の底端２の後側部分は突き出ていない。したがって、乗り手は乗車時にズボンを引っかけることがなくなり、ズボンが裂けたり乗り手がつまずいたりするような危険が生じることがなくなる。また、シートチューブ１の底端２の後側部分が突き出ていないことから、シートチューブ１の底端２が自転車キャリヤやその他の用具を打つことがなくなり、自転車キャリヤを傷つけたり用具を破損したりすることがなくなる。【選択図】図２
0003137773.tif 000002
【実用新案登録請求の範囲】
【請求項１】
その底端が前方になるように傾けられて折り畳み自転車に配置され、上記底端の前側がビーム又は補強ロッドに接続されているシートチューブであって、
上記底端は、前側部分及び後側部分からなる端面を有し、上記端面の後側部分が上記前側部分よりも高くなるように部分的に除去されていること
を特徴とする折り畳み自転車のシートチューブ。
【請求項２】
上記底端の端面は、滑らかに変化する面とされていること
を特徴とする請求項１記載の折り畳み自転車のシートチューブ。
【請求項３】
上記底端の端面は、斜状の切り口とされていること
を特徴とする請求項２記載の折り畳み自転車のシートチューブ。
【請求項４】
請求項１乃至請求項３のうちいずれか１項記載のシートチューブを備えた折り畳み自転車。
【考案の詳細な説明】
【技術分野】
【０００１】
本考案は、折り畳み自転車のフレームの構造に関し、特に、折り畳み自転車のシートチューブに関する。
【背景技術】
【０００２】
図１に示すように、折り畳み自転車の従来のシートチューブ１ａは、その底端２ａが前方になるように傾けられている。底端２ａの端面は略平面とされており、底端２ａの前側はビーム又は補強ロッドに接続され、底端２ａの後側は突き出ている。乗り手は乗車時にシートチューブ１ａの底端２ａの突き出ている後側部分によってズボンを引っかけるかもしれず、これは、ズボンが裂けたり乗り手がつまずいたりする原因となり得る。また、シートチューブ１ａの底端２ａの突き出ている後側部分は、自転車キャリヤやその他の用具に容易に接触することが可能とされ、これは、自転車キャリヤが傷ついたり用具が破損したりするのを引き起こしかねない。
【考案の開示】
【考案が解決しようとする課題】
【０００３】
本考案は、このような実情に鑑みてなされたものであり、乗り手のズボンを引っかけたり、その他の用具を打ったりするのをなくすことができる折り畳み自転車のシートチューブを提供することを目的とする。
【課題を解決するための手段】
【０００４】
本考案にかかる折り畳み自転車のシートチューブは、その底端が前方になるように傾けられて折り畳み自転車に配置され、上記底端の前側がビーム又は補強ロッドに接続されているシートチューブであって、上記底端は、前側部分及び後側部分からなる端面を有し、上記端面の後側部分が上記前側部分よりも高くなるように部分的に除去されていることを特徴としている。
【０００５】
ここで、上記底端の端面は、滑らかに変化する面とされているのが望ましい。
【０００６】
また、上記底端の端面は、斜状の切り口とされているのが望ましい。
【０００７】
また、本考案は、上記シートチューブを含む折り畳み自転車も提供する。
【０００８】
このような本考案にかかるシートチューブ及び折り畳み自転車においては、底端の端面が斜状の切り口であることから、シートチューブの底端の後側部分が突き出ない。
【考案の効果】
【０００９】
本考案にかかるシートチューブ及び折り畳み自転車においては、シートチューブの底端の後側部分が突き出ていないことから、乗り手が乗車時にズボンを引っかけることがなくなり、ズボンが裂けたり乗り手がつまずいたりするような危険が生じることがなくなる。また、本考案にかかるシートチューブ及び折り畳み自転車においては、シートチューブの底端の後側部分が突き出ていないことから、シートチューブの底端が自転車キャリヤやその他の用具を打つことがなくなり、自転車キャリヤを傷つけたり用具を破損したりすることがなくなる。
【考案を実施するための最良の形態】
【００１０】
以下、本考案を適用した具体的な実施の形態について図面を参照しながら詳細に説明する。
【００１１】
第１の実施の形態
図２に示すように、折り畳み自転車のシートチューブ１は、その底端２が前方になるように傾けられており、底端２の前側はビーム３に接続されている。また、底端２の端面は、その後側部分が前側部分よりも高くなるように部分的に除去されている。具体的には、底端２の端面は滑らかに変化する面とされ、特に斜状の切り口とされるのが望ましい。
【００１２】
底端２の端面が斜状の切り口であることから、シートチューブ１の底端２の後側部分は突き出ていない。したがって、乗り手は乗車時にズボンを引っかけることがなくなり、ズボンが裂けたり乗り手がつまずいたりするような危険が生じることがなくなる。また、シートチューブ１の底端２の後側部分が突き出ていないことから、シートチューブ１の底端２が自転車キャリヤやその他の用具を打つことがなくなり、自転車キャリヤを傷つけたり用具を破損したりすることがなくなる。
【００１３】
第２の実施の形態
図３に示すように、折り畳み自転車のシートチューブ１は、その底端２が前方になるように傾けられている。底端２の前側は補強ロッド４に接続されており、底端２の端面は斜状の切り口とされている。
【００１４】
なお、上述した記載や図面は、添付された実用新案登録請求の範囲によって定義される本考案の範囲を限定するように理解すべきものではない。本考案の真の精神と範囲から逸脱しない限り、当業者によってなされる様々な変形例、代替構造、および均等物が適用され得る。
【図面の簡単な説明】
【００１５】
【図１】従来のシートチューブが使用されている折り畳み自転車の折り畳みジョイントの構造を示す図である。
【図２】本考案の第１の実施の形態として示すシートチューブが使用されている折り畳み自転車の折り畳みジョイントの構造を示す図である。
【図３】本考案の第２の実施の形態として示すシートチューブが使用されている折り畳み自転車の折り畳みジョイントの構造を示す図である。
【符号の説明】
【００１６】
１  シートチューブ
２  底端
３  ビーム
４  補強ロッド
【図１】
0003137773.tif 000003
【図２】
0003137773.tif 000004
【図３】
0003137773.tif 000005
(57)【要約】      （修正有）【課題】得点表示板の表面から突出しない構造で、脱着が容易であり、更に視角が広く設営の自由度が大きい得点表示板を提供する。【解決手段】合板１に薄鉄板２を張り合わせ、鉄板へ罫線を施し、他方罫線間隔に合せ磁性ゴム板３を多数用意し、それに得点を印刷してなる、得点表示板。【選択図】図１
0003137094.tif 000002
【実用新案登録請求の範囲】
【請求項１】
合板に薄鉄板を張り合わせ、鉄板へ罫線を施し。他方罫線間隔に合せ磁性ゴム板を多数用意し、それに得点を印刷してなる、得点表示板。
【考案の詳細な説明】
【技術分野】
【０００１】  的から６０ｍはなれた射手のみならず、総合審判員、記録係、他の競技者や観客にも、その得点が速やかに宣告されなければならない。
【背景技術】
【０００２】  従来  和洋に関わらず、畳一枚程の合板に釘や仕切りを設け、的審判の指図に従い係が予め用意した得点板を  釘に引っ掛けたり  仕切り内へ差し込んだりして  得点を表示していた。【０００３】  しかし  所定の釘へ引っ掛けたり  仕切り内へ差し込んだりすることは  煩雑であり、迅速且つ正確を要する得点板としては、多少問題が有った。【０００４】  さらに  釘が曲がったり  抜けて無くなったりした場合や、仕切りが壊れかけた場合、迅速性や正確性が損なはれる可能性がある。
【考案の開示】
【考案が解決しようとする課題】
【０００５】  釘や仕切りの様に  得点表示板の表面から突出しない構造で、脱着が容易である物。
更に  視角が広く  得点表示板の設営の自由度が大きい事を要する。
【課題を解決するための手段】
【０００６】  薄鉄板貼付合板へ罫線や必要項目を記載した表示板と  磁性ゴム板へ得点を記載した得点板多数との組合せによる。
【考案の効果】
【０００７】  薄鉄板貼付合板は  薄鉄板により罫線や文字の載りも良く、その印刷特性も良い。
磁性ゴム板は  薄く且つ滑らかで生地色も文字色も自由に選べる。
【考案を実施するための最良の形態】
【０００８】  図１のように  薄鉄板貼付合板をリップミゾ形鋼の折畳式架台へ張付て造られる。又図２のように  磁性ゴム板の生地色各色へ文字色各色の得点を記載して造られる。
【実施例１】
【０００９】  図１のように薄鉄板へ  射場名、合計点欄、罫線等を記載して得点表示板とする。
【実施例２】
【００１０】  図２のように生地色各色の磁性ゴム板へ  文字色各色の得点を記載して得点板とする。
【産業上の利用可能性】
【００１１】  弓道に限らず  あらゆる武道、競技で  審判の宣告を迅速・正確に周知する事は重要で、この考案の応用範囲は  競技を超えて  限りなく広い。
【図面の簡単な説明】
【００１２】
【図１】得点表示板の意匠、構造と設置状態を示す。
【図２】得点板の意匠と多数の分類、最低必要数を示す。
【符号の説明】
【００１３】  １  薄鉄板貼付合板
２  軽量形鋼
３  磁性ゴム板
【図１】
0003137094.tif 000003
【図２】
0003137094.tif 000004
【手続補正書】
【提出日】平成19年8月8日(2007.8.8)
【手続補正１】
【補正対象書類名】実用新案登録請求の範囲
【補正対象項目名】全文
【補正方法】変更
【補正の内容】
【実用新案登録請求の範囲】
【請求項１】
罫線を施した薄鉄板を合板に張り合わせ、他方  罫線間隔に合せた寸法の、得点を印刷した磁性ゴム板を多数用意して成る、得点表示板。
(57)【要約】      （修正有）【課題】家庭用電気製品のプラグの取り扱いを容易にする。特に、電源タップからプラグを抜く際、片手でできるようにする。【解決手段】プラグに２重構造のプラグカバーを取り付けることにより、より容易にまた安全にコンセントに出し入れできる。プラグ本体を覆うカバーは上部をＴ字型にさせることにより、中指を巻いてひきやすくする。また、このカバーの上部裏側に凹凸を入れることにより、人差し指に引く力が加えられる。さらに親指が、コンセントに接触している外側のカバーを押すことによって、プラグ本体を引き抜く力が増すだけでなく、電源タップからも片手で抜くことができるようになる。ほとんどの金具の部分をカバーで覆うことにより、安全性を高める。【選択図】図１
0003137097.tif 000002
【実用新案登録請求の範囲】
【請求項１】
電気製品のプラグに取り付けるのもとして、上部にＴ字型の取手がついたプラグ全体を覆うカバーと、そのカバーの下部を覆い反対方向に動く別のカバーの付いた二重構造の電気プラグカバー
【考案の詳細な説明】
【技術分野】
【０００１】  本考案は家庭電気製品のプラグにとりつける二重構造カバーに関するものである。
【背景技術】
【０００２】  家庭電気製品のプラグはコンセントから出し入れするのに、かなりの力を必要とする。また、金具が露出している。
【考案の開示】
【考案が解決しようとする課題】
【０００３】  一般的に電気製品のプラグは小さいため、コンセントからの出し入れする際扱いにくい。特に引き抜く際に、プラグによってはかなりの力を要するものがある。また、電源タップから引き抜く際は、両手を必要とする。プラグの先の金具が露出しているため、プラグをコンセントに出し入れする際、感電の危険性がある。そこで、二重構造のカバーをつけることにより、前述の課題を解決するものである。
【課題を解決するための手段】
【０００４】  プラグ本体を覆うカバーは上部をＴ字型にさせることにより、中指を巻いてひきやすくする。また、このカバーの上部裏側に凹凸を入れることにより、人差し指に引く力が加えられる。にさらに親指が、コンセントに接触している外側のカバーを押すことによって、プラグ本体を引き抜く力が増すだけでなく、電源タップからも片手で抜くことができるようにする。ほとんどの金具の部分をカバーで覆うことにより、安全性を高める。
【考案の効果】
【０００５】  Ｔ字型の取手をつけたことで力がかかり易く、コンセントから出し入れすることが容易になる。親指で反対方向に力を加えることで、電源タップからでも片手で引き抜くことができる。また、ほとんどの金具の部分をカバーで覆うことにより、安全性がより高まる。また、カバーをカラフルにすれば、よく家庭で用いられる電源タップに入れてある複数のプラグが、どの電気製品のプラグかが一目でわかる。
【考案を実施するための最良の形態】
【０００６】  すでに、購入した家庭の電気製品に用いるなら、プラグの形、大きさに微妙な違いがあるため、大、中、小のカバーが必要であるが、プラグにあった大きさのカバーを選び、はじめにプラグ本体を覆う内側のカバーをテープとベルトでプラグに固定する。次に外側カバーを取り付ける。そして、カバーをしたプラグを実際に差し込む際には、上部のＴ字型の取手を持ってコンセントに差し込む。また、抜くときには親指で外側のカバーをコンセントに垂直に押し、中指をＴ字型取手にかけ、人差し指をカバー裏側の凹凸に当て、引くようにする。３本の指で同時にそれぞれの方向に力をかけてプラグをコンセントから引き抜く。
【実施例】
【０００７】  電気製品のプラグの大きさにあった耐久性のある絶縁体で固い物質のプラグカバーを取り付ける。図１のようにプラグ本体をカバーに入れ、内側のシールとベルトでプラグをカバーと固定し、１ａをはめる。次に外側のカバー、２をとりつける。図１は構造がわかりやすいように外側カバーの一部を先にはめたものである。【０００８】  図２のように、カバーを取り付けたプラグをコンセントに差し込むときは１の取手を持ち、差し込み口に対し垂直に押す。【０００９】  図３は側面図であり、プラグを抜く際に取手の１ｂを中指を絡ませることによって引く力を強める。内側カバーの下側に凹凸１ｃは人差し指を引きぬく力を加える。凹凸２ａには親指を置いて押す力を加える。【００１０】  実際にプラグを抜くときは、図４のように親指で外側のカバーの突起部分２ａを差込口に対して垂直に押し、中指を取手、１ｂにかけ、人差し指をカバー裏側の凹凸１ｃに当て、差込口に対し垂直に引くようにする。これら３つの力を使うことにより、容易にプラグを引き抜くことができる。
【産業上の利用可能性】
【図面の簡単な説明】
【００１１】
【図１】本考案の二重構造プラグカバーの取り付けを示した平面図である。
【図２】本プラグカバーをコンセントに差し込んだ実施例を示した平面図である。
【図３】本プラグカバーをコンセントに差し込んだ実施例を示した側面図である。
【図４】本プラグカバーをコンセントから引き抜く実施例を示した平面図である。
【符号の説明】
【００１２】１  内側カバー
２  外側カバー
３  シール
４  ベルト
【図１】
0003137097.tif 000003
【図２】
0003137097.tif 000004
【図３】
0003137097.tif 000005
【図４】
0003137097.tif 000006
(57)【要約】      （修正有）【課題】従来、着物には装飾を兼ねた帯で固定するものとされてきたが、着物の上に帯を締めることは犬や猫にとってかなり負担のかかるという問題点を解消する。【解決手段】古典的な着物を、帯を締めずに着せるため洋服風なデザインに着物を仕立てることによる。【選択図】図１
0003137093.tif 000002
【実用新案登録請求の範囲】
【請求項１】
従来の、着物には帯で装飾し固定するといった固定観念にとらわれることなく日本古来の和装の生地や洋服の生地でデザインを考え帯を締めない着物ドレスを作ることを特徴とする犬や猫に着せる着物ドレス
【考案の詳細な説明】
【技術分野】
【０００１】  本考案は、実用と装飾を兼ねた帯を用いず着物だけで着せるものである。
【背景技術】
【０００２】  犬や猫は元来背骨の弱いものが多く着物の上に長時間帯を締める事は犬や猫にとってかなり負担になる。
【考案の開示】
【考案が解決しようとする課題】
【０００３】  従来、着物には装飾を兼ねた帯で固定するものとされてきたが、着物の上に帯を締めることは犬や猫にとってかなり負担がかかるという問題点を有していたので、前述の欠点を解決しようとするものである。
【課題を解決するための手段】
【０００４】  本考案は、上記目的を達成するために古典な着物を、帯を締めずに着せるため洋服風なデザインに着物を仕立てることにより問題点を解決している。
【考案の効果】
【０００５】  犬や猫に負担なく着物ドレスを着せることができる。
【考案を実施するための最良の形態】
【０００６】  日本古来の和装の生地だけでなく洋服の生地でデザインを考え、着物を作ることにより着物ドレスになる。
【実施例】
【０００７】  お正月、結婚式、お祝い事の時、礼服としてはもちろん普段着としても着物ドレスを着せることが出来る。
【図面の簡単な説明】
【０００８】
【図１】本考案の着物ドレスの正面図である。
【図２】着物ドレスの背面図である。
【図３】着物ドレスの側面図である。
【符号の説明】
【０００９】  １  着物ドレス
【図１】
0003137093.tif 000003
【図２】
0003137093.tif 000004
【図３】
0003137093.tif 000005
【手続補正書】
【提出日】平成19年8月3日(2007.8.3)
【手続補正１】
【補正対象書類名】実用新案登録請求の範囲
【補正対象項目名】全文
【補正方法】変更
【補正の内容】
【実用新案登録請求の範囲】
【請求項１】
着物に帯を付けず帯の変わりの装飾を施し、和服の原形を残したまま、新たに需要を創出する為に洋服の生地でデザインし、作る事を特徴とする犬や猫に着せる着物ドレス。